(57)【特許請求の範囲】
【請求項１】
著作権保護対象のコンテンツを送信可能なソースデバイスを構成する著作権保護処理装置であって、
前記コンテンツを受信するシンクデバイスに接続されるネットワークインタフェースと、
前記シンクデバイスに送信可能なコンテンツ一覧を、前記シンクデバイスからの要求に応じて前記ネットワークインタフェースから送信するコンテンツ一覧処理部と、
前記ネットワークインタフェースで鍵交換のための相互認証を行い、この相互認証の成功に伴う鍵交換で共有される秘密鍵により前記コンテンツを暗号化して前記シンクデバイスに送信する保護処理を行う保護処理部とを備え、
前記コンテンツ一覧処理部は、前記保護処理部による前記相互認証の失敗に伴い、前記シンクデバイスに送信する前記コンテンツ一覧に、前記相互認証失敗に係るエラー情報の項目を付加することを特徴とする著作権保護処理装置。
【請求項２】
前記コンテンツ一覧処理部は、前記エラー情報を保持するステータスフォルダを設け、このステータスフォルダの内容として前記コンテンツ一覧に前記エラー情報の項目を付加することを特徴とする請求項１に記載の著作権保護処理装置。
【請求項３】
前記保護処理部は、前記ネットワークインタフェースにより前記シンクデバイスに加えて他のシンクデバイスとネットワーク接続が確立した状態でこれらシンクデバイスから要求される鍵交換のための相互認証を行い、
前記コンテンツ一覧処理部は、前記相互認証に失敗したシンクデバイスに対して送信するコンテンツ一覧にのみ前記エラー情報の項目を付加することを特徴とする請求項１に記載の著作権保護処理装置。
【請求項４】
前記コンテンツ一覧処理部は、前記エラー情報を保持するステータスフォルダをそれぞれのシンクデバイスに対して設け、これらステータスフォルダの内容として前記コンテンツ一覧に前記エラー情報の項目を付加することを特徴とする請求項３に記載の著作権保護処理装置。
【請求項５】
前記コンテンツ一覧は、ＵＰｎＰ  ＡＶにより送信されることを特徴とする請求項１に記載の著作権保護処理装置。
【請求項６】
シンクデバイスに送信可能なコンテンツ一覧を、前記シンクデバイスからの要求に応じて送信し、著作権保護対象のコンテンツを利用するシンクデバイスとのネットワーク接続が確立した状態で前記シンクデバイスから要求される鍵交換のための相互認証を行い、この相互認証の成功に伴う鍵交換で共有される秘密鍵により前記コンテンツを暗号化して前記シンクデバイスに送信する保護処理を行い、前記相互認証の失敗に伴い、前記シンクデバイスに送信するコンテンツ一覧に、前記相互認証失敗に係るエラー情報の項目を付加することを特徴とする著作権保護処理方法。
【請求項７】
前記エラー情報を保持するステータスフォルダを設けこのステータスフォルダの内容として前記コンテンツ一覧の情報に前記エラー情報の項目を付加することを特徴とする請求項６に記載の著作権保護処理方法。
【請求項８】
前記ネットワークインタフェースにより前記シンクデバイスに加えて他のシンクデバイスとネットワーク接続が確立した状態でこれらシンクデバイスから要求される鍵交換のための相互認証を行い、前記相互認証に失敗したシンクデバイスに対して送信するコンテンツ一覧にのみ前記エラー情報の項目を付加することを特徴とする請求項６に記載の著作権保護処理方法。
【請求項９】
前記エラー情報を保持するステータスフォルダをそれぞれのシンクデバイスに対して設けこれらステータスフォルダの内容として前記コンテンツ一覧に前記エラー情報の項目を付加することを特徴とする請求項８に記載の著作権保護処理方法。
【請求項１０】
前記コンテンツの一覧はＵＰｎＰ  ＡＶにより送信されることを特徴とする請求項６に記載の著作権保護処理方法。
【発明の詳細な説明】
【技術分野】
【０００１】
本発明は、例えばＤＴＣＰ−ＩＰ（Digital Transmission Content Protection over Internet Protocol）により著作権保護対象のコンテンツを送信する著作権保護処理装置および著作権保護処理方法に関する。
【背景技術】
【０００２】
ブロードバンドや無線ＬＡＮ等のコンピュータネットワークの普及や、デジタル技術の進展に伴い、通信機能を備えたデジタル情報機器と呼ばれるデジタル家電製品が普及しつつある。また、地上デジタル放送の開始に伴い、デジタル放送対応のテレビやセットトップボックス、ＤＶＤレコーダ等が、今後より一層普及することが予想される。複数のデジタル家電がネットワークに接続されれば、利用者はネットワーク経由でコンテンツを楽しむことができ、有益である。
【０００３】
ここで、コンテンツとは、各種のデジタルデータ、例えばＭＰＥＧ−２やＭＰＥＧ−４などの動画データや音声データ、テキストデータや画像データのようなドキュメント・データなどを指す。この種のデジタルデータからなるコンテンツは劣化することなく容易に複製することが可能であるという利点を持つ反面、コンテンツの著作権に関して注意を払わなければならない。著作権保護対象のコンテンツを特定のデジタル情報機器間でコピーする場合には、このコンテンツが通信経路上で他のデジタル情報機器によってオリジナル状態でコピーされないことが望ましい。
【０００４】
他のデジタル情報機器によるコンテンツのコピーを防ぐ手段としては、ＤＴＣＰ−ＩＰ技術が知られている。このＤＴＣＰ−ＩＰ技術では、著作権保護対象のコンテンツを保持するソースデバイスとこのコンテンツを利用するシンクデバイスとが相互認証（ＡＫＥ）を行い、相互認証の成功に伴って鍵交換が行われる。ソースデバイスはこの鍵交換により共有される秘密鍵によりコンテンツを暗号化してシンクデバイスに送信し、シンクデバイスはこの秘密鍵により暗号を解除してコンテンツを再生する。これにより、例えば家庭内ＬＡＮで著作権保護対象のコンテンツの共有が可能となる。
【０００５】
通常、相互認証がソースデバイスおよびシンクデバイス間で失敗した場合、鍵交換が行われないため、ソースデバイスに保持されるコンテンツを再生できない。従来、成功あるいは失敗という相互認証の結果がソースデバイスからシンクデバイスに送信される（例えば、特許文献１を参照）。
【特許文献１】特開２００７−２３５２４６号公報
【発明の開示】
【発明が解決しようとする課題】
【０００６】
しかしながら、上述の成功あるいは失敗という相互認証の結果だけでは、シンクデバイスのユーザが相互認証に失敗した原因を特定することができなかった。この原因としては、例えば不正な機器の接続や誤った機器設定などがある。
【０００７】
本発明はこのような課題に鑑みてなされたものであり、ユーザが相互認証において生じた失敗の原因を特定できる著作権保護処理装置および著作権保護処理方法を提供することを目的とする。
【課題を解決するための手段】
【０００８】
本発明の第１観点によれば、著作権保護対象のコンテンツを送信可能なソースデバイスを構成する著作権保護処理装置であって、コンテンツを受信するシンクデバイスに接続されるネットワークインタフェースと、シンクデバイスに送信可能なコンテンツ一覧を、シンクデバイスからの要求に応じてネットワークインタフェースから送信するコンテンツ一覧処理部と、ネットワークインタフェースで鍵交換のための相互認証を行い、この相互認証の成功に伴う鍵交換で共有される秘密鍵によりコンテンツを暗号化してシンクデバイスに送信する保護処理を行う保護処理部とを備え、コンテンツ一覧処理部は、保護処理部による相互認証の失敗に伴い、シンクデバイスに送信するコンテンツ一覧に、相互認証失敗に係るエラー情報の項目を付加する著作権保護処理装置が提供される。
【０００９】
本発明の第２観点によれば、シンクデバイスに送信可能なコンテンツ一覧を、シンクデバイスからの要求に応じて送信し、著作権保護対象のコンテンツを利用するシンクデバイスとのネットワーク接続が確立した状態でシンクデバイスから要求される鍵交換のための相互認証を行い、この相互認証の成功に伴う鍵交換で共有される秘密鍵によりコンテンツを暗号化してシンクデバイスに送信する保護処理を行い、相互認証の失敗に伴い、シンクデバイスに送信するコンテンツ一覧に、相互認証失敗に係るエラー情報の項目を付加する著作権保護処理方法が提供される。
【発明の効果】
【００１０】
これら著作権保護処理装置および著作権保護処理方法では、ユーザが相互認証において生じた失敗の原因を容易に特定することができる。
【発明を実施するための最良の形態】
【００１１】
以下、本発明の第１実施形態に係るホームネットワークシステムについて添付図面を参照して説明する。
【００１２】
図１はこのホームネットワークシステムの構成例を示す。この例では、ネットワークシステムは相互接続される２つのデジタル情報機器で構成される。一方のデジタル情報機器は著作権保護対象のコンテンツを保持するソースデバイス１０として設けられたＤＶＤレコーダであり、他方のデジタル情報機器はこのソースデバイス１０に保持される著作権保護対象のコンテンツを利用するシンクデバイス２０として設けられたテレビである。
【００１３】
ソースデバイス１０は、図１に示すようにバスラインＢＳにより相互接続される制御部１１、ハードディスク（ＨＤＤ）ユニット１２、ＤＶＤユニット１３、信号変換部１４、ネットワークインタフェース１５、ユーザインタフェース１６、およびチューナ部１７を備える。制御部１１はＤＶＤレコーダ全体の動作に必要なコンポーネント１２〜１７の制御を行うもので、コンテンツ送受信用にネットワーク接続の相手を認証する著作権保護処理回路ＰＲとして機能する処理を含む様々な処理を行うＣＰＵ、ＣＰＵの制御プログラムや初期データを保持するＲＯＭ、ＣＰＵの入出力データを一時的に格納するＲＡＭ、およびコンテンツを一時的に格納するバッファメモリ等により構成される。チューナ部１７は地上デジタル放送波として受信され著作権保護を必要とするコンテンツを復調する。信号変換部１４はチューナ部１７またはネットワークインタフェース１５から得られたコンテンツに対して圧縮や伸張のような信号変換処理を行う。ＨＤＤユニット１２は信号変換部１３から得られたコンテンツをハードディスクに保存する。ＤＶＤユニット１３はＨＤＤユニット１２のハードディスクに保存されたコンテンツを選択的に信号変換部１３で信号変換してディスク記録フォーマットでＤＶＤに記録する。ユーザインタフェース１６はユーザによって操作されこの操作に対応するコマンドを制御部１１に入力すると共に、制御部１１から出力されるメッセージをユーザに通知する。ネットワークインタフェース１５はシンクデバイス２０とネットワーク接続を確立して通信を行うために設けられる。
【００１４】
シンクデバイス２０は、図１に示すようにバスラインＢＳにより相互接続される制御部２１、表示部２２、信号変換部２３、ユーザインタフェース２４、ネットワークインタフェース２５、およびチューナ部２６を備える。制御部２１はテレビ全体の動作に必要なコンポーネント２２〜２６の制御を行うもので、著作権保護回路ＰＲと略等価に機能する処理を含む様々な処理を行うＣＰＵ、ＣＰＵの制御プログラムや初期データを保持するＲＯＭ、ＣＰＵの入出力データを一時的に格納するＲＡＭ、およびコンテンツを一時的に格納するバッファメモリを含む。チューナ部２６は地上デジタル放送波として受信され著作権保護を必要とするコンテンツを復調する。信号変換部２３はチューナ部２６またはネットワークインタフェース２５から得られたコンテンツに対して圧縮や伸張等の信号変換処理を行う。表示部２２は信号変換部２３から得られたコンテンツを表示する。ユーザインタフェース２５はユーザによって操作されこの操作に対応するコマンドを制御部２１に入力すると共に、制御部２１から出力されるメッセージをユーザに通知する。ネットワークインタフェース２５はソースデバイス２０とネットワーク接続を確立して通信を行うために設けられる。ネットワークインタフェース２５では、物理レイヤ処理、データリンクレイヤ処理、ネットワークレイヤおよびトランスポートレイヤ処理が実行される。ネットワークレイヤでは、ＤＴＣＰ−ＩＰのインターネットプロトコルが採用される。
【００１５】
図２は図１に示す著作権保護処理回路ＰＲの構成を概略的に示す。この著作権保護回路ＰＲはネットワーク制御処理部３０、コンテンツ用接続管理部３１、コンテンツ一覧用接続管理部３２、認証および鍵交換用接続管理部３３、コンテンツ管理部３４、コンテンツ一覧処理部３５、認証および鍵交換処理部３６、鍵選択処理部３７、並びに暗号処理部３８を含む。ネットワーク制御処理部３０は送受信すべき情報の入出力についてネットワークインタフェース２５を制御する。コンテンツ用接続管理部３１はネットワーク接続の相手とコンテンツの送受信を行うための接続を管理する。コンテンツ一覧用接続管理部３２は、ネットワーク接続の相手からとコンテンツ一覧の送受信を行うための接続を管理する。コンテンツ一覧の送受信方法としては、例えばＵＰｎＰ(Universal Plug and Play)ＡＶのようなＡＶ機器の連携用プロトコルが採用される。認証および鍵交換用接続管理部３３は認証および鍵交換のための接続を管理する。 
コンテンツ管理部３４は、保存されたコンテンツを管理し、暗号処理部３８に対してコンテンツを入出力する。コンテンツ一覧処理部３５はコンテンツ管理部３５により管理されるコンテンツの一覧をコンテンツ一覧用接続管理部３２に出力したり、コンテンツ一覧用接続管理部３２から入力されるコンテンツ一覧からコンテンツを選択したりする。認証および鍵交換処理部３６は、ネットワーク接続状態でコンテンツの送受信を行うためにネットワーク接続の相手に対して認証および鍵交換処理を行う。著作権保護対象のコンテンツをデジタル情報機器間で送受信する場合、これらデジタル情報機器が、著作権保護可能なデジタル情報機器として特定のライセンス機関からコンテンツコピーのライセンスを受けた正当な装置であること確認する相互認証（ＡＫＥ）を行う必要がある。この相互認証（ＡＫＥ）が成功すると、認証および鍵交換処理部３６はネットワーク接続の相手と鍵交換を行い、この鍵交換の結果として生成される秘密鍵をネットワーク接続の相手とコンテンツの暗号化用および暗号解除用に共有する。鍵選択処理部３７はネットワーク接続の相手と共有される秘密鍵を選択し、暗号処理部３８は鍵選択処理部３７により選択された秘密鍵によりコンテンツの暗号化および暗号解除を選択的に行う。
【００１６】
図３は著作権保護対象のコンテンツを再生するためにソースデバイス１０およびシンクデバイス２０で行われる動作のシーケンスを示す。この動作では、最初にシンクデバイス２０がソースデバイス１０に対してコンテンツ一覧を要求する。ソースデバイス１０はソースデバイス２０からの要求に従ってコンテンツ一覧をシンクデバイス２０に対して送信する。シンクデバイス２０はこのコンテンツ一覧から再生すべきコンテンツを選択し、このコンテンツの再生に必要な鍵交換のためにソースデバイス１０に対して相互認証を要求する。これに続き、ソースデバイス１０およびシンクデバイス２０は相互認証を行い、この相互認証の成功に伴って鍵交換を行う。これにより、秘密鍵がソースデバイス１０およびシンクデバイス２０間で共有される。この後、シンクデバイス２０がソースデバイス１０に対して選択コンテンツを要求すると、ソースデバイス１０が選択コンテンツを秘密鍵により暗号化してシンクデバイス２０に送信する。暗号化コンテンツがシンクデバイス２０によって受信されると、シンクデバイス２０はこの暗号化コンテンツを秘密鍵により暗号解除して再生する。
【００１７】
図４は鍵交換のための相互認証（ＡＫＥ）に失敗した場合の動作を示す。この相互認証（ＡＫＥ）に失敗すると、秘密鍵がソースデバイス１０およびシンクデバイス２０間で共有されない。このため、シンクデバイス２０で選択されたコンテンツを再生できない。このとき、シンクデバイス２０側のユーザはソースデバイス１０で行われるエラー処理により相互認証の失敗を確認できるが、この失敗の原因を確認できない。
【００１８】
この問題を解消するため、本実施形態では、認証および鍵交換処理部３６が相互認証に失敗したときのエラーステータスをコンテンツ一覧処理部３５に出力する。コンテンツ一覧処理部３５はこのエラーステータスを少なくとも失敗の原因を特定可能なエラー情報としてコンテンツ一覧の情報に付加する。
【００１９】
ユーザが相互認証（ＡＫＥ）の失敗を確認した後、シンクデバイス２０からコンテンツ一覧を再度要求すると、ソースデバイス１０がエラーステータスを含むコンテンツ一覧をシンクデバイス２０に送信し、シンクデバイス２０がこのエラーステータスを含むコンテンツ一覧を取得して表示する。これにより、ユーザはこのエラーステータスから相互認証に失敗した原因を確認できる。
【００２０】
図５は相互認証（ＡＫＥ）成功時のコンテンツ一覧表示例である。この表示例から判るようにエラーステータスは表示されない。これに対して、図６は相互認証（ＡＫＥ）失敗時のコンテンツ一覧表示例である。この表示例では、［ＤＴＣＰ−ＩＰ認証エラー  不正な機器で再生しようとしています］というエラーステータス、すなわちエラー情報が表示されるため、ユーザが相互認証に失敗した原因を特定できる。
【００２１】
尚、図６に示すコンテンツの一覧では、エラーステータスがコンテンツのタイトル毎に付加されているが、コンテンツの一覧をディレクトリ（フォルダ）構造で扱うことができる場合には、相互認証（ＡＫＥ）失敗時のコンテンツ一覧を例えば図７に示す表示例のように変更してもよい。この場合でも、認証および鍵交換処理部３６が相互認証に失敗したときのエラーステータスをコンテンツ一覧処理部３５に出力する。コンテンツ一覧処理部３５は例えばステータスフォルダという名称のフォルダを作成してエラーステータスのファイルを少なくとも失敗の原因を特定可能なエラー情報としてステータスフォルダに収容し、さらにこのステータスフォルダ名の情報をコンテンツ一覧に付加する。これにより、図７に示す表示例のように、ステータスフォルダという項目を含むコンテンツ一覧が表示される。ここで、ステータスフォルダを選択すると、［ＤＴＣＰ−ＩＰ認証エラー  不正な機器で再生しようとしています］というエラーステータス、すなわちエラー情報がコンテンツ一覧の情報に追加され、シンクデバイス２０においてステータスフォルダの内容として表示される。
【００２２】
図８は図５に示す表示例に適用される相互認証（ＡＫＥ）成功時のコンテンツ一覧情報を示す。また、図９は図６に示す表示例を得るために相互認証（ＡＫＥ）失敗時にコンテンツ一覧情報に付加されるエラー情報を示す。さらに図１０は図７に示す表示例を得るために相互認証（ＡＫＥ）失敗時にコンテンツ一覧情報に付加されるエラー情報を示す。
【００２３】
本実施形態によれば、相互認証（ＡＫＥ）の失敗に伴ってシンクデバイス２０からコンテンツ一覧の要求があった場合に、ソースデバイス１０においてこの失敗の原因を特定可能なエラー情報が送信すべきコンテンツ一覧の情報に付加されてシンクデバイス１０に送信される。従って、ユーザが相互認証において生じた失敗の原因を容易に特定することができる。また、エラー情報がコンテンツ一覧を提供する既存のリソースであるコンテンツ一覧用接続管理部３２およびコンテンツ一覧処理部３５を利用してシンクデバイス２０に送信されることから、失敗の原因を特定可能にするためにコストの増大をほとんど必要としない。
【００２４】
次に、本発明の第２実施形態に係るホームネットワークシステムについて図１１を参照して説明する。図１１に示すホームネットワークシステムは、デジタル情報機器として第１および第２シンクデバイス２０を備える。これらシンクデバイス２０の各々およびソースデバイス１０は第１実施形態と同様に構成されるため、図１１においてこれらを同一参照符号で表し、詳細な説明を省略する。以下に、第１実施形態と相違する事項について述べる。
【００２５】
第１シンクデバイス２０は例えばアドレス”１９２．１６８．０．３”により識別され、第２シンクデバイス２０は例えばアドレス”１９２．１６８．０．４”により識別される。ソースデバイス１０はこれら第１および第２シンクデバイス２０の各々に対して第１実施形態で説明した動作を行う。但し、ソースデバイス１０は第１および第２シンクデバイス２０のいずれかとの相互認証に失敗したときのエラーステータスをコンテンツ一覧処理部３５に出力する。コンテンツ一覧処理部３５は第１および第２シンクデバイス２０毎にこのエラーステータスを管理し、相互認証に失敗したシンクデバイス２０から要求されるコンテンツ一覧の情報に対してこのエラーステータスを少なくとも失敗の原因を特定可能なエラー情報として付加する。
【００２６】
従って、相互認証の失敗が図１１に示すように第１シンクデバイス２０およびソースデバイス１０間で発生し、第２シンクデバイス２０およびソースデバイス１０間で発生しない場合には、第１シンクデバイス２０がエラーステータスを含むコンテンツ一覧を取得し、第２シンクデバイス２０がエラーステータスを含まないコンテンツ一覧を取得することになる。ちなみに、上述の動作はソースデバイス１０にネットワーク接続されるシンクデバイス２０の数が増大される場合でも同様に行われる。
【００２７】
本実施形態によれば、相互認証（ＡＫＥ）の失敗に伴って第１および第２シンクデバイス２０の一方からコンテンツ一覧の要求があった場合に、ソースデバイス１０においてこの失敗の原因を特定可能なエラー情報が送信すべきコンテンツ一覧の情報に付加されてシンクデバイス１０に送信される。従って、ユーザが相互認証において生じた失敗の原因を容易に特定することができる。これに対して、相互認証（ＡＫＥ）に成功したほうのシンクデバイス２０からコンテンツ一覧の要求があった場合には、ソースデバイス１０において送信すべきコンテンツ一覧の情報だけがシンクデバイス２０に送信される。従って、エラー情報を含まないコンテンツ一覧が表示されることになる。また、エラー情報がコンテンツ一覧を提供する既存のリソースであるコンテンツ一覧用接続管理部３２およびコンテンツ一覧処理部３５を利用してシンクデバイス２０に送信されることから、失敗の原因を特定可能にするためにコストの増大をほとんど必要としない。
【００２８】
図１２はコンテンツ一覧の表示形式を変更した例を示す。コンテンツの一覧をディレクトリ（フォルダ）構造で扱うことができる場合には、認証および鍵交換処理部３６が相互認証に失敗したときのエラーステータスを第１および第２シンクデバイス２０の各々についてコンテンツ一覧処理部３５に出力する。コンテンツ一覧処理部３５は例えば第１および第２シンクデバイス２０についてステータスフォルダ 192.968.0.3 およびステータスフォルダ192.168.0.4という名称のフォルダを作成し、第１シンクデバイス２０とソースデバイス１０との相互認証あるいは第２シンクデバイス２０とソースデバイス１０との相互認証に成功あるいは失敗したときのステータスのファイルをそれぞれ成功通知あるいは失敗の原因を特定可能なエラー情報としてステータスフォルダ192.968.0.3またはステータスフォルダ192.168.0.4に収容し、さらに「全シンクデバイスに関するステータスフォルダ」やステータスフォルダ名の情報をコンテンツ一覧に付加する。これにより、図１２に示す表示例のように、全シンクデバイスに関するステータスフォルダ、ステータスフォルダ192.968.0.3、ステータスフォルダ192.168.0.4という項目を含むコンテンツ一覧が表示される。ここで、全シンクデバイスに関するステータスフォルダを選択すると、例えば「−  システム全体がビジーです。」というシステム全体のステータス、「−  ＤＴＣＰ−ＩＰ認証エラー  不正な機器で再生しようとしています。」という第１シンクデバイス２０のステータス、「−  相互認証は成功しました」という第２シンクデバイス２０のステータスがコンテンツ一覧の情報に追加され、第１および第２シンクデバイス２０の両方において表示される。
【００２９】
本実施形態では、相互認証の失敗に伴ってシンクデバイスからコンテンツ一覧の要求があった場合に、この失敗の原因を特定可能なエラー情報が送信すべきコンテンツ一覧の情報に付加される。従って、ユーザが相互認証において生じた失敗の原因を容易に特定することができる。また、エラー情報がコンテンツ一覧を提供する既存のリソースを利用してシンクデバイスに送信されることから、失敗の原因を特定可能にするためにコストの増大をほとんど必要としない。
【００３０】
尚、本発明は上述の実施形態に限定されず、様々に変形可能である。
【００３１】
第１実施形態では、シンクデバイス２０の著作権保護処理回路がソースデバイス１０の著作権保護処理回路ＰＲと実質的に等価に構成されたが、著作権保護対象のコンテンツがテレビに設けられるメモリに保持され、これがＤＶＤレコーダによりＤＶＤに記録されるようなことがなければ、シンクデバイス２０側において不要な暗号化の処理等を省略してもよい。
【００３２】
また、ソフトウェア構成の著作権保護処理回路の代りに、ハードウェア構成の著作権保護回路がソースデバイス１０およびシンクデバイス２０に設けられてもよい。
【図面の簡単な説明】
【００３３】
【図１】本発明の第１実施形態に係るホームネットワークシステムの項精励を示す図である。
【図２】図１に示すソースデバイスに設けられた著作権保護処理回路の構成を概略的に示す図である。
【図３】図１に示すソースデバイスおよびシンクデバイス間で行われる動作のシーケンスを示す図である。
【図４】図１に示すソースデバイスおよびシンクデバイス間で鍵交換のための相互認証（ＡＫＥ）に失敗した場合の動作を示す図である。
【図５】図１に示すソースデバイスおよびシンクデバイス間で行われた相互認証（ＡＫＥ）成功時のコンテンツ一覧表示例を示す図である。
【図６】図１に示すソースデバイスおよびシンクデバイス間で行われた相互認証（ＡＫＥ）失敗時のコンテンツ一覧表示例を示す図である。
【図７】図６に示す表示例とは異なる相互認証（ＡＫＥ）失敗時のコンテンツ一覧表示例を示す図である。
【図８】図５に示す表示例に適用される相互認証（ＡＫＥ）成功時のコンテンツ一覧情報を示す図である。
【図９】図６に示す表示例を得るために相互認証（ＡＫＥ）失敗時にコンテンツ一覧情報に付加されるエラー情報を示す図である。
【図１０】図７に示す表示例を得るために相互認証（ＡＫＥ）失敗時にコンテンツ一覧情報に付加されるエラー情報を示す図である。
【図１１】本発明の第２実施形態に係るホームネットワークシステムにおいて行われる動作を説明するための図である。
【図１２】図１１に示す相互認証（ＡＫＥ）の結果として得られるコンテンツ一覧の表示形式を変更した例を示す図である。
【符号の説明】
【００３４】
１１，２１…制御部、１５，２５…ネットワークインタフェース、３０…ネットワーク制御処理部、３１…コンテンツ用接続管理部、３２…コンテンツ一覧用接続管理部、３３…認証および鍵交換用接続管理部、３４…コンテンツ管理部、３５…コンテンツ一覧処理部、３６…認証および鍵交換処理部、３７…鍵選択処理部、３８…暗号処理部、ＢＳ…バスライン、ＰＲ…著作権保護処理回路。
【図１】
0004292222.tif 000002
【図２】
0004292222.tif 000003
【図３】
0004292222.tif 000004
【図４】
0004292222.tif 000005
【図５】
0004292222.tif 000006
【図６】
0004292222.tif 000007
【図７】
0004292222.tif 000008
【図８】
0004292222.tif 000009
【図９】
0004292222.tif 000010
【図１０】
0004292222.tif 000011
【図１１】
0004292222.tif 000012
【図１２】
0004292222.tif 000013